(57)【要約】【課題】ＩＣチップを組み込むために有価証券や紙幣等のシートに設けるスペースをできるだけ小さくしながらも、有価証券や紙幣等に組み込む作業の高速化を図る。【解決手段】  有価証券や紙幣等のシートに組み込まれるＩＣチップ１０を帯状の固定部材２０に固着し、この固定部材２０を用いてＩＣチップ１０を有価証券や紙幣等のシートに組み込み、かつ、この固定部材２０の幅をＩＣチップ１０の幅よりも狭く構成する。【選択図】図１
2005209102.tif 000002
【特許請求の範囲】
【請求項１】
帯状の固定部材に、非接触状態で少なくとも情報の読み出しが可能なＩＣチップが固着されてなるスレッドであって、
前記固定部材の幅が、前記ＩＣチップの幅よりも狭いスレッド。
【請求項２】
請求項１に記載のスレッドが複数連接してなるスレッドの連続体であって、
前記固定部材が長手方向に複数連接され、該連接された固定部材上に前記ＩＣチップが等間隔に配置されているスレッドの連続体。
【請求項３】
請求項１に記載のスレッドが組み込まれたシート。
【発明の詳細な説明】
【技術分野】
【０００１】
本発明は、有価証券や紙幣等のシートに貼付されたり漉き込まれたりし、これらの真贋判定に用いられるスレッド、スレッドの連続体及びシートに関する。
【背景技術】
【０００２】
従来より、プリペイドカードや各種入場券、商品券や株券等の有価証券においては、広く流通しており比較的容易に換金可能である等の理由から、偽造犯罪が頻発している。特に、近年ではカラーコピー機等の複写機の性能向上と普及に伴い、簡単には真正品と見分けられない偽造品が比較的容易に製造可能になってきており、偽造に対する対策が求められている。また、上述したような有価証券に限らず、紙幣においても偽造に対する対策が求められている。
【０００３】
このような偽造に対する対策の１つとして、スレッドと呼ばれる部材を有価証券や紙幣に貼付したり漉き込んだりし、それにより、有価証券や紙幣の偽造防止を図る技術が考えられている。この技術においては、プラスチックフィルムや薄葉紙等が数ｍｍ程度の細幅に断裁されてなるスレッドを、有価証券や紙幣の表面から露出しないように、あるいは一部が表面から露出するように有価証券や紙幣の紙層に漉き込んでおき、このスレッドの有無によって、有価証券や紙幣の真贋判定が行われることになる。
【０００４】
さらに、近年においては、ＩＣチップが搭載されたスレッドを用いて有価証券や紙幣の真贋判定を行う技術が考えられている。この技術においては、数ｍｍ程度の細幅に断裁されたフィルムの片面にＩＣチップが接着されてなるスレッドを有価証券や紙幣の紙層に漉き込んでおき、有価証券や紙幣の使用時に、ＩＣチップに書き込まれた情報を読み出すことによって、有価証券や紙幣の真贋判定を行うことになる（例えば、特許文献１参照。）。
【０００５】
ところが、このような技術においては、ＩＣチップに書き込まれた情報を読み出すことのみによって有価証券や紙幣等の真贋判定が行われることになるにも関わらず、ＩＣチップを固定するためにＩＣチップよりも幅が広いフィルムを有価証券や紙幣等に組み込むことになるため、有価証券や紙幣等においてそのためのスペースを設けなければならない。
【０００６】
ここで、ＩＣチップのみを印刷媒体に内蔵させ、このＩＣチップを用いて印刷媒体の真贋判定を行う技術が考えられている（例えば、特許文献２参照。）。この技術を用いれば、有価証券や紙幣等の印刷媒体において、ＩＣチップよりも幅が広いフィルム等を組み込むためのスペースを設ける必要がなくなる。
【特許文献１】特開２００２−３１９００６号公報
【特許文献２】特開２００３−５８８５６号公報
【発明の開示】
【発明が解決しようとする課題】
【０００７】
しかしながら、上述したようにＩＣチップのみを有価証券や紙幣等に組み込むものにおいては、微細なＩＣチップを単体で有価証券や紙幣等のシートに組み込むことになるため、ＩＣチップをトレイ等の容器に収納しておき、ＩＣチップを有価証券や紙幣等のシートに組み込む際に容器からＩＣチップを１つずつ取り出し、取り出したＩＣチップを有価証券や紙幣等のシートに１つずつ組み込むことなる。そのため、ＩＣチップを有価証券や紙幣等に組み込む作業の高速化を図ることが困難であるという問題点がある。
【０００８】
本発明は、上述したような従来の技術が有する問題点に鑑みてなされたものであって、ＩＣチップを組み込むために有価証券や紙幣等のシートに設けるスペースをできるだけ小さくしながらも、有価証券や紙幣等に組み込む作業の高速化を図ることができるスレッド、スレッドの連続体及びシートを提供することを目的とする。
【課題を解決するための手段】
【０００９】
上記目的を達成するために本発明は、
帯状の固定部材に、非接触状態で少なくとも情報の読み出しが可能なＩＣチップが固着されてなるスレッドであって、
前記固定部材の幅を、前記ＩＣチップの幅よりも狭くする。
【００１０】
また、前記スレッドが複数連接してなるスレッドの連続体であって、
前記固定部材が長手方向に複数連接され、該連接された固定部材上に前記ＩＣチップが等間隔に配置されている。
【００１１】
上記のように構成された本発明においては、ＩＣチップよりも狭い幅を有する帯状の固定部材が長手方向に複数連接され、この連接された固定部材上にＩＣチップが等間隔に配置されたスレッドの連続体を、有価証券や紙幣等のシート上に接着し、その後、スレッドの連続体をスレッド毎に断裁することにより、固定部材にＩＣチップが固着されてなるスレッドが有価証券や紙幣等のシートに組み込まれる。または、スレッドの連続体をスレッド毎に断裁した後、有価証券や紙幣等のシート上にスレッドを接着することにより、固定部材にＩＣチップが固着されてなるスレッドが有価証券や紙幣等のシートに組み込まれる。
【００１２】
このように、ＩＣチップを固定部材に固着して有価証券や紙幣等のシートに組み込むので、微細なＩＣチップをトレイ等から１つずつ取り出してシートに組み込む必要がなく、スレッドを有価証券や紙幣等に組み込む作業の高速化が図られ、また、その固定部材の幅がＩＣチップの幅よりも狭いので、シートにＩＣチップを組み込むためにはＩＣチップよりも狭い幅を有する帯状のスペースをシート上に設けておけばよい。
【発明の効果】
【００１３】
以上説明したように本発明においては、有価証券や紙幣等のシートに組み込まれるＩＣチップが帯状の固定部材に固着され、この固定部材を用いてＩＣチップがシートに組み込まれ、かつ、この固定部材の幅がＩＣチップの幅よりも狭く構成されているので、ＩＣチップを組み込むために有価証券や紙幣等のシートに設けるスペースをできるだけ小さくしながらも、有価証券や紙幣等に組み込む作業の高速化を図ることができる。
【発明を実施するための最良の形態】
【００１４】
以下に、本発明の実施の形態について図面を参照して説明する。
【００１５】
図１は、本発明のスレッドの第１の実施の形態を示す図であり、（ａ）は上面図、（ｂ）は（ａ）に示したＡ−Ａ’断面図である。
【００１６】
本形態は図１に示すように、帯状の固定部材２０に、非接触状態にて情報の書き込み及び読み出しが可能なＩＣチップ１０が接着剤（不図示）によって固着されて構成されている。なお、固定部材２０は、ＰＥＴやＰＥＴ−ＧやＰＶＣ等の樹脂や、紙、あるいは糸等からなり、その幅がＩＣチップ１０の幅よりも狭いものとなっている。固定部材２０を樹脂から構成した場合は、機械的強度を向上させることができ、また、固定部材２０を紙や糸から構成した場合は、このスレッド１を有価証券や紙幣等のシートに貼付する際にシートとの接着性を向上させることができる。
【００１７】
また、ＩＣチップ１０は、接着剤（不図示）によって固定部材２０に接着されているが、その接着方法としては、固定部材２０のＩＣチップ１０が搭載される領域のみに接着剤を塗布しておき、接着剤が塗布された領域にＩＣチップ１０を搭載する方法や、固定部材２０のＩＣチップ１０が搭載される面の全面に接着剤を塗布しておき、その後、固定部材２０上にＩＣチップ１０を搭載する方法が考えられる。また、固定部材２０上にＩＣチップ１０を固定するための接着剤としては、例えば、ホットメルト糊等の熱可塑性接着剤等が考えられ、その場合は、固定部材２０上にＩＣチップ１０を搭載した際に固定部材２０に対してＩＣチップ１０を加圧しながら加熱することにより接着剤を溶融させて固定部材２０とＩＣチップ１０とを接着する。
【００１８】
上記のように構成されたスレッド１においては、例えば、一方の面に接着剤が塗布され、有価証券や紙幣等のシートに貼付されて利用される。
【００１９】
図２は、図１に示したスレッド１が貼付されたシートの一例を示す図であり、（ａ）は上面図、（ｂ）は（ａ）に示したＡ−Ａ’断面図である。
【００２０】
本形態におけるシートは図２に示すように、図１に示したスレッド１がシート部材２上に搭載され、固定部材２０が接着剤３によってシート部材２と接着されて構成されている。
【００２１】
ここで、本形態においては、ＩＣチップ１０を固定するための固定部材２０の幅が、ＩＣチップ１０の幅よりも狭く構成されているため、シート部材２にＩＣチップ１０を組み込むためにはＩＣチップ１０よりも狭い幅を有する帯状のスペースをシート部材２上に設けておけばよい。そのため、従来のように、シート部材２にＩＣチップ１０を組み込むためにＩＣチップ１０よりも広い幅を有する帯状のスペースが設けられているものに対して、スレッド１を組み込むためにシート部材２に設けるスペースを小さくすることができる。
【００２２】
上記のようにスレッド１がシート部材２に接着されてなるシートを、ＩＣチップ１０に対して情報の書き込み及び読み出しが可能な情報書込／読出装置に近接させると、例えば、ＩＣチップ１０に書き込まれた情報が読み出され、読み出された情報に基づいて、シートの真贋判定が行われることになる。なお、ＩＣチップ１０においては、上述したようにＩＣチップ１０に書き込まれた情報のみによって真贋判定が行われる場合、ＩＣチップ１０に書き込まれた情報が非接触状態にて読み出される構成であればよく、非接触状態にて情報が書き込まれる構成を有する必要はない。
【００２３】
また、図１に示したようなスレッド１を有価証券や紙幣等のシートに貼付するのではなく、有価証券や紙幣等のシートの紙層内にスレッド１を漉き込んで使用することも考えられる。その場合、例えば、多槽式円網抄紙機を用いて少なくとも２層の紙層から製造される抄紙を有価証券や紙幣等のシートとして使用し、有価証券や紙幣等のシートの製造時に紙層間にスレッド１を漉き込んでおく。このようにスレッド１が漉き込まれた有価証券や紙幣等のシートにおいても、上述したものと同様にして利用される。また、複数の紙が積層されてなる有価証券や紙幣等のシートにおいても、積層される紙の間にスレッド１を挟み込んで使用することも考えられる。
【００２４】
また、有価証券や紙幣等のシートに凹部を形成しておき、図１に示したようなスレッド１をこの凹部に嵌め込むことも考えられる。この場合、有価証券や紙幣等のシートに、図１に示したようなＩＣチップ１０と固定部材２０とからなるスレッド１全体が嵌め込まれるような形状及び深さを有する凹部を形成しておき、この凹部にスレッド１全体を嵌め込むことや、有価証券や紙幣等のシートに、固定部材２０のみが嵌め込まれるような凹部を形成しておき、この凹部にスレッド１のうち固定部材２０のみを嵌め込むことが考えられる。いずれの場合においても、有価証券や紙幣等のシートに形成された凹部内に接着剤を塗布しておけば、スレッド１が凹部に嵌め込まれた際、スレッド１がシートに強固に固着されることになる。また、スレッド１のＩＣチップ１０が固着された面をシート部材２との接着面とし、シート部材２にＩＣチップ１０のみが嵌め込まれるような凹部を形成しておき、この凹部にスレッド１のうちＩＣチップ１０のみを嵌め込み、固定部材２０においては、接着剤によってシート部材２に接着することも考えられる。このようにスレッド１が嵌め込まれた有価証券や紙幣等においても、上述したものと同様にして利用される。
【００２５】
以下に、上述したようにスレッド１が貼付されてなるシートの製造方法について説明する。
【００２６】
図３は、図２に示したシートの製造方法を説明するための図である。
【００２７】
まず、図３（ａ）に示すようなシート部材２が連接してなる基材に対して、スレッド１が貼付される領域に接着剤３を塗布する（図３（ｂ））。なお、スレッド１は、図２に示したように、シート部材２に対して、シート部材２の連接部分となる辺間に渡って帯状の形状であるため、シート部材２が連接された基材に対して、連続した帯状に接着剤３を塗布することができる。
【００２８】
次に、図３（ｃ）に示すように、ＩＣチップ１０が固着された固定部材２０が長手方向に複数連接することによりスレッド１が連接してなるスレッドの連続体２１を、接着剤２が塗布された基材上に搭載し、固定部材２０とシート部材２とを接着剤２によって互いに接着する（図３（ｄ））。なお、スレッド１が連接してなるスレッドの連続体２１においては、図３（ｃ）に示すように、連接した固定部材２０上にＩＣチップ１０がシート部材２の大きさに応じて等間隔に配置されている。そのため、図３（ｄ）に示すように、互いに連接されたシート部材２のそれぞれにおいて、連接した固定部材２０上に配置、固着されたＩＣチップ１０は、同一の領域に配置されることになる。
【００２９】
その後、シート部材２が連接してなる基材及びこれに接着剤３によって接着されたスレッドの連続体２１をシート部材２毎に断裁すると、図２に示したような、固定部材２０にＩＣチップ１０が固定されたスレッド１がシート部材２に貼付されてなるシートが完成する（図３（ｅ））。
【００３０】
上述したように本形態においては、帯状の固定部材２０が長手方向に複数連接され、この連接された固定部材２０上にＩＣチップ１０が等間隔に配置されたスレッドの連続体２１を、シート部材２が連接してなる基材上に接着し、その後、スレッドの連続体２１を基材とともにシート部材２毎に断裁することにより、固定部材２０にＩＣチップ１０が固着されてなるスレッド１をシート部材２に組み込む構成としたため、微細なＩＣチップ１０をトレイ等から１つずつ取り出してシート部材２に組み込む必要がなく、スレッド１を有価証券や紙幣等に組み込む作業の高速化を図ることができる。
【００３１】
なお、本形態においては、シート部材２が連接してなる基材上にスレッドの連続体２１を接着し、その後、スレッドの連続体２１を基材とともにシート部材２毎に断裁しているが、シート部材２が単片状となっている場合においても、単片状のシート部材２上にスレッドの連続体２１を接着し、その後、スレッドの連続体２１をスレッド１毎に断裁したり、スレッドの連続体２１をスレッド１毎に断裁した後、単片状のシート部材２上に接着したりすることによって、スレッド１を有価証券や紙幣等のシートに組み込むことができる。その場合においても、スレッドの連続体２１上においては、ＩＣチップ１０がシート基材２の大きさに応じて等間隔に配置されているので、スレッド１上のＩＣチップ１０は、シート部材２のそれぞれについて、同一の領域に配置されることになる。
【００３２】
また、本形態においては、ＩＣチップ１０の幅よりも狭い幅を有する帯状の固定部材２０にＩＣチップ１０が接着剤によって固着されているが、固定部材２０が、例えば糸のようにその幅がかなり狭いものである場合、ＩＣチップ１０を組み込むためにシート部材２に設けるスペースを大幅に小さくすることができる一方、ＩＣチップ１０と固定部材２０との接着領域も狭いものとなり、ＩＣチップ１０が固定部材２０から剥がれてしまう虞れがある。そこで、固定部材２０が、例えば糸のようにその幅がかなり狭いものである場合に、固定部材２０のうち、ＩＣチップ１０が固着される領域のみその幅をＩＣチップ１０の幅と略等しいものとし、それにより、ＩＣチップ１０を組み込むためにシート部材２に設けるスペースを大幅に小さくしながらも、ＩＣチップ１０と固定部材２０との接着領域を広くとることが考えられる。
【図面の簡単な説明】
【００３３】
【図１】本発明のスレッドの第１の実施の形態を示す図であり、（ａ）は上面図、（ｂ）は（ａ）に示したＡ−Ａ’断面図である。
【図２】図１に示したスレッドが貼付されたシートの一例を示す図であり、（ａ）は上面図、（ｂ）は（ａ）に示したＡ−Ａ’断面図である。
【図３】図２に示したシートの製造方法を説明するための図である。
【符号の説明】
【００３４】
１    スレッド
２    シート部材
３    接着剤
１０    ＩＣチップ
２０    固定部材
２１    連続体
【図１】
2005209102.tif 000003
【図２】
2005209102.tif 000004
【図３】
2005209102.tif 000005